(57)【要約】【課題】より簡易な構成で、指向性の低いアンテナにより電磁波を測定する電磁波測定装置を提供する。【解決手段】電磁波測定装置１０は、互いに直交する３方向（X軸、Y軸及びZ軸）から見た場合のループ形状が同一であり、かつ、単一の電流経路を形成する導体線３００を有するアンテナ１２と、測定対象となる機器２０から発せられた電磁波により、アンテナ１２に誘起された電流の大きさを、所定の周波数ごとに分解して測定する測定部１０４とを有してなる。【選択図】図５
2011254269.tif 000002
【特許請求の範囲】
【請求項１】
複数の方向から見た場合のループの形状が同一であり、かつ、単一の電流経路を形成する導体線
を有するアンテナ。
【請求項２】
前記導体線は、互いに直交する３方向から見た場合のループの形状及び大きさが同一となるように成形されてなる
請求項１に記載のアンテナ。
【請求項３】
前記導体線の外側に並行してループを形成し、かつ、閉回路を構成しないように該ループの一部を欠損させたシールド膜
をさらに有する請求項１に記載のアンテナ。
【請求項４】
前記導体線は、同一の立方体又は球体を取り巻くように形成されてなる
請求項１に記載のアンテナ。
【請求項５】
光を発する発光部と、
前記導体線を取り巻くように形成され、かつ、前記発光部から発せられた光を導く導光体と、
前記導光体により導かれた光を拡散させる拡散層と
をさらに有する請求項１に記載のアンテナ。
【請求項６】
複数の方向から見た場合のループの形状が同一であり、かつ、単一の電流経路を形成する導体線と、
前記導体線に流れる電流を測定する測定部と
を有する電磁波測定装置。
【請求項７】
前記測定部は、前記導体線の単一測定位置で、電流を測定する
請求項６に記載の電磁波測定装置。
【発明の詳細な説明】
【技術分野】
【０００１】
本発明は、電磁波測定装置に関するものである。
【背景技術】
【０００２】
例えば、特許文献１には、電子部品が基板上に複数実装された電子回路基板にループアンテナのループの開口面を対向させ、当該ループアンテナに対向した電子回路基板の対向する範囲に対しループアンテナから電磁波を印加することにより前記電子回路基板のうち外来電磁波の影響を受け易い箇所を検出して評価する電磁界評価用複合プローブ装置において、前記ループアンテナが、大きさの異なる複数の独立した枠状に形成されたループコイルからなり、当該複数のループコイルを同一の支持体上に配設され、高周波電流を流すループコイルを切替えることで、前記電子回路基板において電磁界の印加される領域を切替えることを特徴とする電磁界評価用複合プローブ装置が開示されている。
【先行技術文献】
【特許文献】
【０００３】
【特許文献１】特開２００５−２９１８４８号公報
【発明の概要】
【発明が解決しようとする課題】
【０００４】
本発明は、より簡易な構成で、指向性の低いアンテナにより電磁波を測定する電磁波測定装置を提供する。
【課題を解決するための手段】
【０００５】
本発明のアンテナは、複数の方向から見た場合のループの形状が同一であり、かつ、単一の電流経路を形成する導体線を有する。
【０００６】
好適には、前記導体線は、互いに直交する３方向から見た場合のループの形状及び大きさが同一となるように成形されてなる。
好適には、前記導体線の外側に並行してループを形成し、かつ、閉回路を構成しないように該ループの一部を欠損させたシールド膜をさらに有する。
好適には、前記導体線は、同一の立方体又は球体を取り巻くように形成されてなる。
【０００７】
好適には、光を発する発光部と、前記導体線を取り巻くように形成され、かつ、前記発光部から発せられた光を導く導光体と、前記導光体により導かれた光を拡散させる拡散層とをさらに有する。
【０００８】
また、本発明の電磁波測定装置は、複数の方向から見た場合のループの形状が同一であり、かつ、単一の電流経路を形成する導体線と、前記導体線に流れる電流を測定する測定部とを有する。
【０００９】
好適には、前記測定部は、前記導体線の単一測定位置で、電流を測定する。
【発明の効果】
【００１０】
本発明によれば、より簡易な構成で、指向性の低いアンテナにより電磁波を測定できる。
【図面の簡単な説明】
【００１１】
【図１】電磁波測定装置１０の全体構成を例示する図である。
【図２】電磁波測定装置１０の機能構成を例示する図である。
【図３】表示部１０８により表示される表示画面２００を例示する図である。
【図４】アンテナ１２の斜視図である。
【図５】アンテナ１２をＸ軸、Ｙ軸、及びＺ軸方向から見た図である。
【図６】アンテナ１２の要部拡大図である。
【図７】変形例１におけるアンテナ４００の斜視図である。
【図８】変形例１におけるアンテナ４００をＸ軸、Ｙ軸、及びＺ軸方向から見た図である。
【図９】変形例２におけるアンテナ５００の全体構成を例示する図である。
【図１０】図５に例示したアンテナ１２の磁界強度特性のシミュレーション結果である。
【図１１】図８に例示したアンテナ４００の磁界強度特性のシミュレーション結果である。
【発明を実施するための形態】
【実施例１】
【００１２】
図１は、電磁波測定装置１０の全体構成を例示する図である。
図１に例示するように、電磁波測定装置１０は、アンテナ１２と、カメラ１４とを備えている。アンテナ１２は、測定対象となる機器２０の周辺を走査されることにより、機器２０から発せられる電磁波によって電流を誘起される。カメラ１４は、測定対象となる機器２０を撮像する。そして、電磁波測定装置１０は、アンテナ１２で誘起された電流の大きさを所定の周波数ごとに分解して測定し、測定した電流の大きさを、カメラ１４により撮像した機器２０の画像にマッピングして、表示する。
【００１３】
図２は、電磁波測定装置１０の機能構成を例示する図である。
図２に例示するように、電磁波測定装置１０は、増幅器１０２と、測定部１０４と、マッピング部１０６と、表示部１０８とを有している。なお、本図に示された各構成の一部又は全部は、ソフトウェアにより実現されてよい。
以下、本図に示された各構成について説明する。
【００１４】
増幅部１０２は、アンテナ１２に誘起された電流の大きさを増幅する。
【００１５】
測定部１０４は、測定対象となる機器２０から発せられた電磁波により、アンテナ１２に誘起された電流の大きさを、所定の周波数ごとに分解して測定する。
本例では、測定部１０４は、増幅部１０２により増幅された電流の大きさを、所定の周波数ごとに分解して測定する。
【００１６】
マッピング部１０６は、測定部１０４により測定された電流の大きさを、カメラ１４により撮像された測定対象となる機器２０の画像にマッピングする。
本例では、マッピング部１０６は、カメラ１４により撮像された測定対象となる機器２０の画像の中で、アンテナ１２が存在する位置に、測定部１０４により測定された電流の大きさをマッピングする。このとき、マッピング部１０６は、測定対象となる機器２０の同一の画像上に、追記する形で電流の大きさをマッピングしていく。
【００１７】
表示部１０８は、マッピング部１０６により測定対象となる機器２０の画像にマッピングされた電流の大きさを表示する。
本例では、表示部１０８は、図３の表示画面２００に例示すように、測定対象となる機器２０の画像にマッピングされた電流の大きさを、ある所定の第１の色からある所定の第２の色へのグラデーションにより表わす。なお、マッピングされた電圧の大きさを表わす方法は、これに限定するものではなく、例えば、マッピングされた電圧の大きさを、色の濃淡又は数値により表わしてもよい。
【００１８】
以上の構成で、電磁波測定装置１０は、測定対象となる機器２０の画像に、測定した電流の大きさをマッピングして表示し、機器２０の周囲における電磁波の発生分布を可視化する。
【００１９】
図４は、アンテナ１２の斜視図である。
図４に例示するように、アンテナ１２は、同一の球体を取り巻くように単一の電流経路を形成すると共に、複数の方向から見た場合にそれぞれループを形成している。より具体的には、アンテナ１２は、中心を通るＸ軸、Ｙ軸、及びＺ軸に対して、上下左右が反転して対称となるようにループを形成する。本例では、アンテナ１２は、略８の字のループを形成している。なお、ループの長さは、電磁波の波長の１／１０以下とすることが好ましい。また、アンテナ１２の直径は、電磁波の周波数に応じて、通常、６ｍｍから２０ｍｍの間となる。
【００２０】
図５は、アンテナ１２をＸ軸、Ｙ軸、及びＺ軸方向から見た図である。
図５に例示するように、アンテナ１２は、Ｘ軸、Ｙ軸、及びＺ軸方向（互いに直交する３方向）から見た形状及びループ面積（大きさ）が同一になるように成形されている。なお、Ｙ軸方向から見たアンテナ１２の形状は、Ｘ軸及びＺ軸方向から見た形状を上下又は左右反転させたものとなっている。より具体的には、Ｘ軸、Ｙ軸、及びＺ軸の各方向から見たアンテナ１２の形状は、２つの略扇型を中心部で重なり合わせたものとなっている。
【００２１】
図６は、アンテナ１２の要部拡大図である。
図６に例示するように、アンテナ１２は、導体線３００と、シールド膜３１０とを有している。導体線３００は、図４及び図５に示したようにループを形成する。また、シールド膜３１０は、導体線３００の外側に並行して、導体線３００と同じループを形成する。ただし、シールド膜３１０は、電磁波により電流が誘起されないように、一部を欠損している。
なお、導体線３００及びシールド膜３１０は、例えば、銅又はアルミなどの金属により形成されればよい。
【００２２】
以上説明したように、アンテナ１２は、Ｘ軸、Ｙ軸、及びＺ軸のどの方向から見ても、同一の形状及びループ面積を実現しているため、どの方向からの電磁波に対しても同じ感度を持つことができる。つまり、アンテナ１２は、電磁波に対して指向性が低くなる。従来の平面上に形成されたループアンテナでは、指向性があるため、複数の角度で測定しないと、全貌を把握できないという問題があったが、本実施形態の電磁波測定装置１０は、この問題を指向性の低いアンテナ１２により解決している。また、アンテナ１２は、単一の電流経路を形成しているため、単一の測定位置で電流を測定するだけで、複数の方向からの電磁波を測定することができる。
また、アンテナ１２は、導体線３００をシールド膜３１０により外側から被覆されているため、電磁波における電界の影響を受けず、電磁波における磁界のみに感度を示し、導体線３００に電流を誘起させることができる。なお、本例のシールド膜３１０は、帯状の形状であるが、これに限定されるものではなく、例えば、線状形状（すなわち、シールド線）であってもよいし、導体線３００の周囲を包み込むチューブ形状であってもよい。
【００２３】
［変形例１］
図７は、変形例１におけるアンテナ４００の斜視図である。
図７に例示するように、アンテナ４００は、同一の立方体を取り巻くようにループを形成している。より具体的には、アンテナ４００は、中心を通るＸ軸、Ｙ軸、及びＺ軸に対して、上下左右が反転して対称となるようにループを形成する。本例では、アンテナ１２は、略８の字のループを形成している。なお、ループの長さは、電磁波の波長の１／１０以下とすることが好ましい。また、アンテナ４００の１辺の長さは、電磁波の周波数に応じて、通常、６ｍｍから２０ｍｍの間となる。
【００２４】
図８は、変形例１におけるアンテナ４００をＸ軸、Ｙ軸、及びＺ軸方向から見た図である。
図８に例示するように、アンテナ４００は、Ｘ軸、Ｙ軸、及びＺ軸方向（互いに直交する３方向）から見た形状及びループ面積が同一になるように形成されている。なお、Ｚ軸方向から見たアンテナ４００の形状は、Ｘ軸及びＹ軸方向から見た形状を上下又は左右反転させたものとなっている。より具体的には、Ｘ軸、Ｙ軸、及びＺ軸の各方向から見たアンテナ１２の形状は、２つの略正方形を中心部で重なり合わせたものとなっている。
【００２５】
以上説明した構成においても、アンテナ４００は、アンテナ１２と同様に、Ｘ軸、Ｙ軸、及びＺ軸のどの方向から見ても、同一の形状及びループ面積を実現しているため、どの方向からの電磁波に対しても同じ感度を持つことができる。
【００２６】
［変形例２］
図９は、変形例２におけるアンテナ５００の断面図を例示する図である。
図９に例示するように、アンテナ５００は、アンテナ１２に、発光部５１０と、導光体５２０と、拡散層５３０とを追加したものである。
以下、本図に示した各構成について説明する。
【００２７】
発光部５１０は、光を発する。例えば、発光部５１０は、ＬＥＤ（Light Emitting Diode）などであればよい。
本例では、発光部５１０は、電磁波測定装置１０から電力を供給され、発光する。
【００２８】
導光体５２０は、アンテナ１２を取り巻くように略球形に形成され、かつ発光部５１０から発せられた光を導く。
拡散層５３０は、導光体５２０により導かれた光を拡散させる。
【００２９】
以上説明した構成によれば、アンテナ１２は、導体線３００の影を出さずに発光することができる。これにより、例えば電波暗室のように薄暗い場所でも、アンテナ１２の視認性を高めることができる。
【００３０】
［その他変形例］
上記実施例及び変形例では、球体及び立方体を取り巻くようにループを形成するアンテナ１２及び４００を示したが、取り巻く形状はこれに限定するものではなく、アンテナは、例えば、正８面体、正１２面体、又は正２０面体などの正多面体を取り巻くようにループを形成してもよい。
【００３１】
［シミュレーション結果］
図１０は、図５に例示したアンテナ１２の磁界強度特性のシミュレーション結果である。
図１１は、図８に例示したアンテナ４００の磁界強度特性のシミュレーション結果である。
図１０及び図１１からわかるように、アンテナ１２及びアンテナ４００は、いずれも、十分に低い指向性を有する。
【符号の説明】
【００３２】
１０    電磁波測定装置
１２    アンテナ
１４    カメラ
２０    測定対象となる機器
１０２  増幅器
１０４  測定部
１０６  マッピング部
１０８  表示部
２００  表示画面
３００  導体線
３１０  シールド膜
４００  アンテナ（変形例１）
５００  アンテナ（変形例２）
５１０  発光部
５２０  導光体
５３０  拡散層
５４０  アンテナリード線
【図１】
2011254269.tif 000003
【図２】
2011254269.tif 000004
【図３】
2011254269.tif 000005
【図４】
2011254269.tif 000006
【図５】
2011254269.tif 000007
【図６】
2011254269.tif 000008
【図７】
2011254269.tif 000009
【図８】
2011254269.tif 000010
【図９】
2011254269.tif 000011
【図１０】
2011254269.tif 000012
【図１１】
2011254269.tif 000013